(57)【要約】【課題】ＬＴＥ方式の移動通信システムのような高速な移動通信システムにおいて、下りリンクにおける制御チャネルに対する適切な無線リソースの割り当てを行う。【解決手段】本発明に係る無線基地局ｅＮＢは、所定数のＯＦＤＭシンボルによって構成されるサブフレームごとに、下りリンクにおける制御チャネルに対して割当可能な各サブキャリアにおけるＯＦＤＭシンボルの数を示す割当可能ＯＦＤＭシンボル数を決定するように構成されている決定部１４を具備し、決定部１４は、測定区間内の各サブフレームにおいて、通信状況に対応するＯＦＤＭシンボル数を算出し、算出したＯＦＤＭシンボル数の中の最大数を、測定区間の完了後に開始する次の制御区間内の各サブフレームにおける割当可能ＯＦＤＭシンボル数とするように構成されている。【選択図】図６
2010114781.tif 000002
【特許請求の範囲】
【請求項１】
所定数のＯＦＤＭシンボルによって構成されるサブフレームごとに、下りリンクにおける制御チャネルに対して割当可能な各サブキャリアにおけるＯＦＤＭシンボルの数を示す割当可能ＯＦＤＭシンボル数を決定するように構成されている決定部を具備し、
前記決定部は、測定区間内の各サブフレームにおいて、通信状況に対応するＯＦＤＭシンボル数を算出し、算出した該ＯＦＤＭシンボル数の中の最大数を、該測定区間の完了後に開始する次の制御区間内の各サブフレームにおける前記割当可能ＯＦＤＭシンボル数とするように構成されていることを特徴とする無線基地局。
【請求項２】
前記通信状況は、送信予定の物理下りリンク制御チャネルの数であることを特徴とする請求項１に記載の無線基地局。
【請求項３】
前記通信状況は、移動局から通知された受信品質に基づいて決定された集約レベルの総数であり、
前記集約レベルは、連続する複数のリソース要素グループによって構成される制御チャネル要素を何個連続で割り当てるかについて示し、
前記リソース要素グループは、連続する複数のリソース要素によって構成されており、
前記リソース要素は、１つのサブキャリアにおける１つのＯＦＤＭシンボルによって構成されていることを特徴とする請求項１に記載の無線基地局。
【請求項４】
前記通信状況は、スケジューリング対象の移動局の数であることを特徴とする請求項１に記載の無線基地局。
【請求項５】
前記通信状況は、送信すべき下りリンクデータが存在する移動局の数であることを特徴とする請求項１に記載の無線基地局。
【請求項６】
前記決定部は、所定要因に基づいて、前記通信状況と前記ＯＦＤＭシンボル数との対応関係を変更するように構成されていることを特徴とする請求項１に記載の無線基地局。
【発明の詳細な説明】
【技術分野】
【０００１】
本発明は、無線基地局に関する。
【背景技術】
【０００２】
３ＧＰＰで標準化が進められているＬＴＥ（Ｌｏｎｇ  Ｔｅｒｍ  Ｅｖｏｌｕｔｉｏｎ）方式の移動通信システムでは、下りリンクにおける制御情報として、「ＣＦＩ（Ｃｏｎｔｒｏｌ  Ｆｏｒｍａｔ  Ｉｎｄｉｃａｔｏｒ）」や、「ＤＣＩ（Ｄｏｗｎｌｉｎｋ  Ｃｏｎｔｒｏｌ  Ｉｎｆｏｒｍａｔｉｏｎ）や、「「ＨＩ（ＨＡＲＱ  Ｉｎｄｉｃａｔｏｒ）」が送信されるように構成されている。
【０００３】
ここで、ＣＦＩは、１サブフレーム内の１４ＯＦＤＭシンボルのうち、下りリンクにおける制御チャネルに対して割当可能なＯＦＤＭシンボル数を示す情報である。
【０００４】
また、ＤＣＩは、上りリンクデータ及び下りリンクデータの送信に必要な制御情報（リソース割り当て情報や変調方式等）である。なお、ＤＣＩには、全移動局ＵＥを対象とする共通ＤＣＩ及び特定の移動局ＵＥ（特定の移動局ＵＥ又は特定のグループ内の移動局ＵＥ）を対象とする個別ＤＣＩの２種類が存在する。
【０００５】
さらに、ＨＩは、上りリンクデータに対する送達確認情報（ＡＣＫ/ＮＡＣＫ）である。
【０００６】
また、かかるＬＴＥ方式の移動通信システムでは、ＣＦＩが、物理制御フォーマット指示チャネルＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）を介して送信され、ＤＣＩが、物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を介して送信され、ＨＩが、物理ＨＡＲＱ指示チャネル（Ｐｈｙｓｉｃａｌ  ｈｙｂｒｉｄ-ＡＲＱ  Ｉｎｄｉｃａｔｏｒ  Ｃｈａｎｎｅｌ）を介して送信されるように構成されている。
【０００７】
【非特許文献１】３ＧＰＰ  ＴＳ３６.２１１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；  Ｐｈｙｓｉｃａｌ  ｃｈａｎｎｅｌｓ  ａｎｄ  ｍｏｄｕｌａｔｉｏｎ」
【発明の開示】
【発明が解決しようとする課題】
【０００８】
しかしながら、かかるＬＴＥ方式の移動通信システムでは、上述の下りリンクにおける制御チャネル（ＰＣＦＩＣＨやＰＤＣＣＨやＰＨＩＣＨ等）に対して、どのように無線リソースを割り当てるかについて規定されていないという問題点があった。
【０００９】
そこで、本発明は、上述の課題に鑑みてなされたものであり、ＬＴＥ方式の移動通信システムのような高速な移動通信システムにおいて、下りリンクにおける制御チャネルに対する適切な無線リソースの割り当てを行うことができる無線基地局を提供することを目的とする。
【課題を解決するための手段】
【００１０】
本発明の第１の特徴は、無線基地局であって、所定数のＯＦＤＭシンボルによって構成されるサブフレームごとに、下りリンクにおける制御チャネルに対して割当可能な各サブキャリアにおけるＯＦＤＭシンボルの数を示す割当可能ＯＦＤＭシンボル数を決定するように構成されている決定部を具備し、前記決定部は、測定区間内の各サブフレームにおいて、通信状況に対応するＯＦＤＭシンボル数を算出し、算出した該ＯＦＤＭシンボル数の中の最大数を、該測定区間の完了後に開始する次の制御区間内の各サブフレームにおける前記割当可能ＯＦＤＭシンボル数とするように構成されていることを要旨とする。
【発明の効果】
【００１１】
以上説明したように、本発明によれば、ＬＴＥ方式の移動通信システムのような高速な移動通信システムにおいて、下りリンクにおける制御チャネルに対する適切な無線リソースの割り当てを行うことができる無線基地局を提供することができる。
【発明を実施するための最良の形態】
【００１２】
（本発明の第１の実施形態に係る移動通信システムの構成）
図１乃至図５を参照して、本発明の第１の実施形態に係る移動通信システムの構成について説明する。
【００１３】
本実施形態に係る移動通信システムは、ＬＴＥ方式の移動通信システムであり、無線基地局ｅＮＢと、移動局ＵＥとを具備している。図１に示すように、本実施形態に係る移動通信システムでは、下りリンクにおける制御チャネルとしてのＰＤＣＣＨやＰＣＦＩＣＨやＰＨＩＣＨを介して、下りリンクにおける制御情報としてのＤＣＩやＣＦＩやＨＩが送信されるように構成されている。
【００１４】
図２に示すように、本実施形態に係る無線基地局ｅＮＢは、Ａｇｇｒｅｇａｔｉｏｎ  Ｌｅｖｅｌ決定部１１と、送信受信部１２と、スケジューリング部１３と、リソース割当部１４とを具備している。
【００１５】
Ａｇｇｒｅｇａｔｉｏｎ  Ｌｅｖｅｌ決定部１１は、移動局ＵＥから通知された下りリンクにおけるパイロット信号の受信品質、具体的には、ＣＱＩ（Ｃｈａｎｎｅｌ  Ｑｕａｌｉｔｙ  Ｉｎｄｉｃａｔｏｒ）に基づいて、ＰＤＣＣＨに対して制御チャネル要素（ＣＣＥ：Ｃｏｎｔｒｏｌ  Ｃｈａｎｎｅｌ  Ｅｌｅｍｅｎｔ）を何個連続で割り当てるかを示す「Ａｇｇｒｅｇａｔｉｏｎ  Ｌｅｖｅｌ（集約レベル）」を決定するように構成されている。
【００１６】
ここで、制御チャネル要素は、９個の連続するリソース要素グループ（ＲＥＧ：Ｒｅｓｏｕｒｃｅ  Ｅｌｅｍｅｎｔ  Ｇｒｏｕｐ）によって構成されている。また、リソース要素グループは、４個の連続するリソース要素（ＲＥ：Ｒｅｓｏｕｒｃｅ  Ｅｌｅｍｅｎｔ）によって構成されている。また、リソース要素は、１個のＯＦＤＭシンボル（時間方向）と、１個のサブキャリア（周波数方向）とによって構成されている。
【００１７】
送信部１２は、スケジューリング部１３によって行われたスケジューリング結果に応じて、リソース割当部１４によって割り当てられた下りリンクにおける制御チャネルを介して、下りリンクにおける制御情報を送信するように構成されている。
【００１８】
また、送信部１２は、スケジューリング部１３によって行われたスケジューリング結果に応じて、リソース割当部１４によって割り当てられた下りリンクデータチャネルＰＤＳＣＨ（Ｐｈｙｓｉｃａｌ  Ｄｏｗｎｌｉｎｋ  Ｓｈａｒｅｄ  Ｃｈａｎｎｅｌ）を介して、下りリンクデータを送信するように構成されている。
【００１９】
スケジューリング部１３は、送信すべき下りリンクデータが存在する移動局に対するスケジューリング処理を行うように構成されている。
【００２０】
リソース割当部１４は、スケジューリング部１３によって行われたスケジューリング結果に応じて、下りリンクにおける制御チャネルやＰＤＳＣＨに対して、無線リソースを割り当てるように構成されている。
【００２１】
具体的には、リソース割当部１４は、ＰＤＳＣＨに対して、リソースブロック（ＲＢ：Ｒｅｓｏｕｒｃｅ  Ｂｌｏｃｋ）単位で、リソース要素を割り当てるように構成されている。
【００２２】
ここで、リソースブロックは、７個のＯＦＤＭシンボル（時間方向）と、１２個のサブキャリア（周波数方向）とによって構成されている。
【００２３】
また、リソース割当部１４は、ＰＤＣＣＨ以外の下りリンクにおける制御チャネルに対して、リソース要素グループ単位で、リソース要素を割り当てるように構成されている。
【００２４】
なお、リソース割当部１４は、ＰＤＣＣＨに対して、制御チャネル要素単位で、リソース要素を割り当てるように構成されている。
【００２５】
また、リソース割当部１４は、所定数（具体的には、１４個）のＯＦＤＭシンボルによって構成されるサブフレームごとに、下りリンクにおける制御チャネル（例えば、ＰＤＣＣＨやＰＣＦＩＣＨやＰＨＩＣＨ）に対して割当可能な各サブキャリアにおけるＯＦＤＭシンボルの数を示す割当可能ＯＦＤＭシンボル数を決定するように構成されている。
【００２６】
かかる割当可能ＯＦＤＭシンボル数は、ＣＦＩとして、送信部１２によって、ＰＣＦＩＣＨを介して送信されるように構成されている。
【００２７】
例えば、図３に示すように、下りリンクにおける制御チャネルに対して割当可能な各サブキャリアにおけるＯＦＤＭシンボルの数は、可変であり、１乃至４のいずれかであってもよい。
【００２８】
具体的には、図４に示すように、リソース割当部１４は、測定区間内の各サブフレームにおいて、通信状況に対応するＯＦＤＭシンボル数（最適なＯＦＤＭシンボル数）を算出し、算出したＯＦＤＭシンボル数の中の最大数を、かかる測定区間の完了後に開始する次の制御区間内の各サブフレームにおける割当可能ＯＦＤＭシンボル数とするように構成されている。
【００２９】
例えば、図４において、リソース割当部１４は、測定区間ｉ-１内の各サブフレームにおいて、通信状況に対応するＯＦＤＭシンボル数（最適なＯＦＤＭシンボル数）を算出し、算出したＯＦＤＭシンボル数の中の最大数を、かかる測定区間ｉ-１の完了後に開始する次の制御区間ｉ内の各サブフレームにおける割当可能ＯＦＤＭシンボル数とするように構成されている。
【００３０】
ここで、測定区間には、複数のサブフレームが含まれていてもよいし、１つのサブフレームのみが含まれていてもよい。
【００３１】
また、上述の通信状況は、送信予定のＰＤＣＣＨの数であってもよいし、移動局ＵＥから通知されたＣＱＩに基づいて決定された「Ａｇｇｒｅｇａｔｉｏｎ  Ｌｅｖｅｌ」の総数であってもよいし、スケジューリング対象の移動局ＵＥの数であってもよいし、送信すべき下りリンクデータが存在する移動局ＵＥの数であってもよい。
【００３２】
例えば、リソース割当部１４は、図５に示すようなテーブルを管理しており、送信予定のＰＤＣＣＨの数Ｎｐｄｃｃｈ（通信状況）に対応するＯＦＤＭシンボル数（最適なＯＦＤＭシンボル数）を算出するように構成されている。
【００３３】
具体的には、リソース割当部１４は、図５に示すようなテーブルを参照して、送信予定のＰＤＣＣＨの数Ｎｐｄｃｃｈが、閾値Ｔｈｃｆｉ，１−ｔｏ−２よりも少ない場合、最適なＯＦＤＭシンボル数を「１」とするように構成されていてもよい。
【００３４】
また、リソース割当部１４は、図５に示すようなテーブルを参照して、送信予定のＰＤＣＣＨの数Ｎｐｄｃｃｈが、閾値Ｔｈｃｆｉ，１−ｔｏ−２以上で閾値Ｔｈｃｆｉ，２−ｔｏ−３よりも少ない場合、最適なＯＦＤＭシンボル数を「２」とするように構成されていてもよい。
【００３５】
さらに、リソース割当部１４は、図５に示すようなテーブルを参照して、送信予定のＰＤＣＣＨの数Ｎｐｄｃｃｈが、閾値Ｔｈｃｆｉ，２−ｔｏ−３以上である場合、最適なＯＦＤＭシンボル数を「３」とするように構成されていてもよい。
【００３６】
また、リソース割当部１４は、所定要因に基づいて、上述の通信状況とＯＦＤＭシンボル数との対応関係（例えば、図５に示すようなテーブルの内容）を変更するように構成されていてもよい。
【００３７】
具体的には、リソース割当部１４は、伝搬路状況の変化等に応じて、図５に示すようなテーブルにおいて、閾値或いは最適なＯＦＤＭシンボル数を適応的に変更するように構成されていてもよい。
【００３８】
例えば、リソース割当部１４は、下りリンクにおける制御チャネルに対する無線リソースの割り当てに失敗した場合に、上述の閾値を下げるように構成されていてもよい。
【００３９】
なお、図５に示すテーブルにおいて、送信予定のＰＤＣＣＨの数の代わりに、「Ａｇｇｒｅｇａｔｉｏｎ  Ｌｅｖｅｌ」の総数やスケジューリング対象の移動局ＵＥの数や送信すべき下りリンクデータが存在する移動局ＵＥの数等が用いられていてもよい。
【００４０】
（本発明の第１の実施形態に係る移動通信システムの動作）
図６及び図７を参照して、本発明の第１の実施形態に係る移動通信システムの動作について説明する。図６及び図７の例では、通信状況として、送信予定のＰＤＣＣＨの数Ｎｐｄｃｃｈが用いられるケースについて説明するが、本発明は、通信状況として、「Ａｇｇｒｅｇａｔｉｏｎ  Ｌｅｖｅｌ」の総数やスケジューリング対象の移動局ＵＥの数や送信すべき下りリンクデータが存在する移動局ＵＥの数等が用いられるケースについても適用可能である。
【００４１】
第１に、図６を参照して、本発明の第１の実施形態に係る移動通信システムにおける無線基地局ｅＮＢの動作例１について説明する。
【００４２】
図６に示すように、ステップＳ１０１において、無線基地局ｅＮＢは、「ｉ＝０」とし、「Ｎｍａｘ＝１」とする。
【００４３】
ステップＳ１０２において、無線基地局ｅＮＢは、Ｎｐｄｃｃｈ，ｉが閾値Ｔｈｃｆｉ，１−ｔｏ−２よりも少ないか否かについて判定する。ここで、Ｎｐｄｃｃｈ，ｉは、測定周期内のｉ番目のサブフレームにおける送信予定のＰＤＣＣＨの数（ＰＤＣＣＨ送信候補数）である。
【００４４】
Ｎｐｄｃｃｈ，ｉが閾値Ｔｈｃｆｉ，１−ｔｏ−２よりも少ないと判定された場合、本動作は、ステップＳ１０３に進み、それ以外の場合、本動作は、ステップＳ１０４に進む。
【００４５】
ステップＳ１０３において、無線基地局ｅＮＢは、「ｎ＝１」とする。
【００４６】
ステップＳ１０４において、無線基地局ｅＮＢは、Ｎｐｄｃｃｈ，ｉが閾値Ｔｈｃｆｉ，２−ｔｏ−３よりも少ないか否かについて判定する。
【００４７】
Ｎｐｄｃｃｈ，ｉが閾値Ｔｈｃｆｉ，２−ｔｏ−３よりも少ないと判定された場合、本動作は、ステップＳ１０５に進み、それ以外の場合、本動作は、ステップＳ１０６に進む。
【００４８】
ステップＳ１０５において、無線基地局ｅＮＢは、「ｎ＝２」とし、ステップＳ１０６において、無線基地局ｅＮＢは、「ｎ＝３」とする。
【００４９】
ステップＳ１０７において、無線基地局ｅＮＢは、「Ｎｍａｘ＜ｎ」が成立するか否かについて判定する。
【００５０】
「Ｎｍａｘ＜ｎ」が成立すると判定された場合、ステップＳ１０８において、無線基地局ｅＮＢは、「Ｎｍａｘ＝ｎ」とする。
【００５１】
ステップＳ１０９において、無線基地局ｅＮＢは、「ｉ」を「１」だけ増加させる。
【００５２】
ステップＳ１１０において、無線基地局ｅＮＢは、「ｉ＜Ｎｐｅｒｉｏｄ」が成立するか否かについて判定する。ここで、「Ｎｐｅｒｉｏｄ」は、測定周期内のサブフレーム数である。
【００５３】
「ｉ＜Ｎｐｅｒｉｏｄ」が成立すると判定された場合、本動作は、ステップＳ１０２に戻り、「ｉ＜Ｎｐｅｒｉｏｄ」が成立しないと判定された場合、本動作は、ステップＳ１１１に進む。
【００５４】
ステップＳ１１１において、無線基地局ｅＮＢは、次の制御区間における割当可能ＯＦＤＭ数を「Ｎｍａｘ」とする。
【００５５】
第２に、図７を参照して、本発明の第１の実施形態に係る移動通信システムにおける無線基地局ｅＮＢの動作例２について説明する。
【００５６】
図７に示すように、ステップＳ２０１において、無線基地局ｅＮＢは、「ｉ＝０」とし、「Ｎｍａｘ＝１」とする。
【００５７】
ステップＳ２０２において、無線基地局ｅＮＢは、Ｎｐｄｃｃｈ，ｉが閾値Ｔｈｃｆｉ，１−ｔｏ−２よりも少ないか否かについて判定する。ここで、Ｎｐｄｃｃｈ，ｉは、測定周期内のｉ番目のサブフレームにおける送信予定のＰＤＣＣＨの数（ＰＤＣＣＨ送信候補数）である。
【００５８】
Ｎｐｄｃｃｈ，ｉが閾値Ｔｈｃｆｉ，１−ｔｏ−２よりも少ないと判定された場合、本動作は、ステップＳ２０３に進み、それ以外の場合、本動作は、ステップＳ２０４に進む。
【００５９】
ステップＳ２０３において、無線基地局ｅＮＢは、「ｎ＝１」とする。
【００６０】
ステップＳ２０４において、無線基地局ｅＮＢは、Ｎｐｄｃｃｈ，ｉが閾値Ｔｈｃｆｉ，２−ｔｏ−３よりも少ないか否かについて判定する。
【００６１】
Ｎｐｄｃｃｈ，ｉが閾値Ｔｈｃｆｉ，２−ｔｏ−３よりも少ないと判定された場合、本動作は、ステップＳ２０５に進み、それ以外の場合、本動作は、ステップＳ２０６に進む。
【００６２】
ステップＳ２０５において、無線基地局ｅＮＢは、「ｎ＝２」とし、ステップＳ２０６において、無線基地局ｅＮＢは、「ｎ＝３」とする。
【００６３】
ステップＳ２０７において、無線基地局ｅＮＢは、「Ｎｍａｘ＜ｎ」が成立するか否かについて判定する。
【００６４】
「Ｎｍａｘ＜ｎ」が成立すると判定された場合、ステップＳ２０８において、無線基地局ｅＮＢは、「Ｎｍａｘ＝ｎ」とする。
【００６５】
ステップＳ２０９において、無線基地局ｅＮＢは、ＰＤＣＣＨに対する無線リソースの割り当てを行い、割り当て失敗率Ｐを算出する。
【００６６】
ステップＳ２１０において、無線基地局ｅＮＢは、「Ｎｃｕｒｒｅｎｔ＝３」が成立するか否かについて判定する。ここで、「Ｎｃｕｒｒｅｎｔ」は、現在の制御区間における割当可能ＯＦＤＭ数である。
【００６７】
「Ｎｃｕｒｒｅｎｔ＝３」が成立すると判定された場合、本動作は、ステップＳ２１１に進み、「Ｎｃｕｒｒｅｎｔ＝３」が成立しないと判定された場合、本動作は、ステップＳ２１４に進む。
【００６８】
ステップＳ２１１において、無線基地局ｅＮＢは、「Ｐ＞Ｐｔｈ」が成立するか否かについて判定する。ここで、「Ｐｔｈ」は、割り当て失敗率Ｐに対する閾値である。
【００６９】
「Ｐ＞Ｐｔｈ」が成立すると判定された場合、ステップＳ２１２において、無線基地局ｅＮＢは、「Ｔｈｃｆｉ，２−ｔｏ−３＝Ｔｈｃｆｉ，２−ｔｏ−３−Δ×（１−ｔａｒｇｅｔ）」とする。ここで、「Δ」は、所定パラメータであり、「ｔａｒｇｅｔ」は、割り当て失敗率Ｐの目標値である。
【００７０】
一方、「Ｐ＞Ｐｔｈ」が成立しないと判定された場合、ステップＳ２１３において、無線基地局ｅＮＢは、「Ｔｈｃｆｉ，２−ｔｏ−３＝Ｔｈｃｆｉ，２−ｔｏ−３＋Δ×ｔａｒｇｅｔ」とする。
【００７１】
ステップＳ２１４において、無線基地局ｅＮＢは、「Ｎｃｕｒｒｅｎｔ＝２」が成立するか否かについて判定する。
【００７２】
「Ｎｃｕｒｒｅｎｔ＝２」が成立すると判定された場合、本動作は、ステップＳ２１５に進み、「Ｎｃｕｒｒｅｎｔ＝２」が成立しないと判定された場合、本動作は、ステップＳ２１８に進む。
【００７３】
ステップＳ２１５において、無線基地局ｅＮＢは、「Ｐ＞Ｐｔｈ」が成立するか否かについて判定する。
【００７４】
「Ｐ＞Ｐｔｈ」が成立すると判定された場合、ステップＳ２１６において、無線基地局ｅＮＢは、「Ｔｈｃｆｉ，２−ｔｏ−３＝Ｔｈｃｆｉ，２−ｔｏ−３−Δ×（１−ｔａｒｇｅｔ）」及び「Ｔｈｃｆｉ，１−ｔｏ−２＝Ｔｈｃｆｉ，１−ｔｏ−２−Δ×（１−ｔａｒｇｅｔ）」とする。
【００７５】
一方、「Ｐ＞Ｐｔｈ」が成立しないと判定された場合、ステップＳ２１７において、無線基地局ｅＮＢは、「Ｔｈｃｆｉ，２−ｔｏ−３＝Ｔｈｃｆｉ，２−ｔｏ−３＋Δ×ｔａｒｇｅｔ」及び「Ｔｈｃｆｉ，１−ｔｏ−２＝Ｔｈｃｆｉ，１−ｔｏ−２＋Δ×ｔａｒｇｅｔ」とする。
【００７６】
ステップＳ２１８において、無線基地局ｅＮＢは、「Ｎｃｕｒｒｅｎｔ＝１」が成立するか否かについて判定する。
【００７７】
「Ｎｃｕｒｒｅｎｔ＝１」が成立すると判定された場合、本動作は、ステップＳ２１９に進み、「Ｎｃｕｒｒｅｎｔ＝１」が成立しないと判定された場合、本動作は、ステップＳ２２２に進む。
【００７８】
ステップＳ２１９において、無線基地局ｅＮＢは、「Ｐ＞Ｐｔｈ」が成立するか否かについて判定する。
【００７９】
「Ｐ＞Ｐｔｈ」が成立すると判定された場合、ステップＳ２２０において、無線基地局ｅＮＢは、「Ｔｈｃｆｉ，１−ｔｏ−２＝Ｔｈｃｆｉ，１−ｔｏ−２−Δ×（１−ｔａｒｇｅｔ）」とする。
【００８０】
一方、「Ｐ＞Ｐｔｈ」が成立しないと判定された場合、ステップＳ２２１において、無線基地局ｅＮＢは、「Ｔｈｃｆｉ，１−ｔｏ−２＝Ｔｈｃｆｉ，１−ｔｏ−２＋Δ×ｔａｒｇｅｔ」とする。
【００８１】
ステップＳ２２２において、無線基地局ｅＮＢは、「ｉ」を「１」だけ増加させる。ステップＳ２２３において、無線基地局ｅＮＢは、「ｉ＜Ｎｐｅｒｉｏｄ」が成立するか否かについて判定する。
【００８２】
「ｉ＜Ｎｐｅｒｉｏｄ」が成立すると判定された場合、本動作は、ステップＳ２０２に戻り、「ｉ＜Ｎｐｅｒｉｏｄ」が成立しないと判定された場合、本動作は、ステップＳ２２４に進む。
【００８３】
ステップＳ２２４において、無線基地局ｅＮＢは、次の制御区間における割当可能ＯＦＤＭ数を「Ｎｍａｘ」とする。
【００８４】
（本発明の第１の実施形態に係る移動通信システムの作用・効果）
本発明の第１の実施形態に係る移動通信システムによれば、測定区間内の各サブフレームにおいて、通信状況に対応するＯＦＤＭシンボル数の最大数を、かかる測定区間の完了後に開始する次の制御区間内の各サブフレームにおける割当可能ＯＦＤＭシンボル数とすることによって、処理負荷及び処理遅延を考慮して、各サブフレームにおける下りリンクにおける制御チャネルに対して割当可能なＯＦＤＭシンボル数を決定することができる。
【００８５】
また、本発明の第１の実施形態に係る移動通信システムによれば、伝搬路状況の変化等に応じて、通信状況とＯＦＤＭシンボル数との対応関係を適応的に制御することによって、各サブフレームにおける下りリンクにおける制御チャネルに対して割当可能なＯＦＤＭシンボル数の最適化を図ることができる。
【００８６】
以上に述べた本実施形態の特徴は、以下のように表現されていてもよい。
【００８７】
本実施形態の第１の特徴は、１４個のＯＦＤＭシンボルによって構成されるサブフレームごとに、下りリンクにおける制御チャネルに対して割当可能な各サブキャリアにおけるＯＦＤＭシンボルの数を示す割当可能ＯＦＤＭシンボル数を決定するように構成されているリソース割当部１４を具備し、リソース割当部１４は、測定区間内の各サブフレームにおいて、通信状況に対応するＯＦＤＭシンボル数を算出し、算出したＯＦＤＭシンボル数の中の最大数を、かかる測定区間の完了後に開始する次の制御区間内の各サブフレームにおける割当可能ＯＦＤＭシンボル数とするように構成されていることを要旨とする。
【００８８】
本実施形態の第１の特徴において、通信状況は、送信予定の物理下りリンク制御チャネルの数であってもよい。
【００８９】
本実施形態の第１の特徴において、通信状況は、移動局ＵＥから通知されたＣＱＩに基づいて決定された「Ａｇｇｒｅｇａｔｉｏｎ  Ｌｅｖｅｌ」の総数であり、「Ａｇｇｒｅｇａｔｉｏｎ  Ｌｅｖｅｌ」は、連続する９個のリソース要素グループによって構成される制御チャネル要素を何個連続で割り当てるかについて示し、リソース要素グループは、連続する４個のリソース要素によって構成されており、リソース要素は、１つのサブキャリアにおける１つのＯＦＤＭシンボルによって構成されていてもよい。
【００９０】
本実施形態の第１の特徴において、通信状況は、スケジューリング対象の移動局の数であってもよい。
【００９１】
本実施形態の第１の特徴において、通信状況は、送信すべき下りリンクデータが存在する移動局の数であってもよい。
【００９２】
本実施形態の第１の特徴において、リソース割当部１４は、所定要因に基づいて、通信状況とＯＦＤＭシンボル数との対応関係を変更するように構成されていてもよい。
【００９３】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００９４】
ソフトウェアモジュールは、ＲＡＭ（ＲａｎｄｏＭＳＣｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９７】
【図１】本発明の第１の実施形態に係る移動通信システムの全体構成図である。
【図２】本発明の第１の実施形態に係る無線基地局の機能ブロック図である。
【図３】本発明の第１の実施形態に係る移動通信システムで用いられる下りリンク用のフレーム構造を説明するための図である。
【図４】本発明の第１の実施形態に係る移動通信システムにおいてＯＦＤＭシンボル数の制御区間を示す図である。
【図５】本発明の第１の実施形態に係る移動通信システムにおいてＯＦＤＭシンボル数の制御方法について説明するための図である。
【図６】本発明の第１の実施形態に係る移動通信システムにおいてＯＦＤＭシンボル数の制御方法について説明するためのフローチャートである。
【図７】本発明の第１の実施形態に係る移動通信システムにおいてＯＦＤＭシンボル数の制御方法について説明するためのフローチャートである。
【符号の説明】
【００９８】
ＵＥ…移動局
ｅＮＢ…無線基地局
１１…Ａｇｇｒｅｇａｔｉｏｎ  Ｌｅｖｅｌ決定部
１２…下りリンクデータ情報受信部
１３…スケジューリング部
１４…リソース割当部
【図１】
2010114781.tif 000003
【図２】
2010114781.tif 000004
【図３】
2010114781.tif 000005
【図４】
2010114781.tif 000006
【図５】
2010114781.tif 000007
【図６】
2010114781.tif 000008
【図７】
2010114781.tif 000009